(57)【要約】本発明は、バルブを通じて流れる媒体を制御するための弁胴、バルブハウジング（ａ ｖａｌｖｅ ｈｏｕｓｉｎｇ）（３）を備え、バルブハウジング内の弁胴（１）は、バルブハウジング（３）またはバルブハウジング内の適所に配置されたケージ（ａ ｃａｇｅ）（５）と協働してシール性を確実にするために、少なくとも一つのガスケット（４）を有し、スピンドル（６）によってバルブ内の弁座（７）に対して往復動可能であるバルブに関する。ガスケット（４）は、弁胴（１）を囲繞するように外周面に延在し、かつ、弁胴（１）が前方位置および／または閉鎖位置にあるとき、バルブハウジング（３）または、ガスケット（４）を動かす少なくとも一つの圧力部材（９’）の軸方向圧力により取り付けられるケージ（５）に対して緊密な接触面を有するように放射状に拡張可能である。【選択図】図１
2004522110.tif 000002
【特許請求の範囲】
【請求項１】
バルブ（２）を通じて流れる媒体を制御するための弁胴、バルブハウジング（ａ ｖａｌｖｅ ｈｏｕｓｉｎｇ）（３）を備え、バルブハウジング内の弁胴（１）は、バルブハウジングまたはバルブハウジング内の適所に配置されたケージ（ａ ｃａｇｅ）と協働してシール性を確実にするために、少なくとも一つのガスケットを有し、スピンドル（６）によってバルブ内の弁座（７）に対して往復動可能であるバルブであって、ガスケット（４）は、弁胴（１）を囲繞するように外周面に延在し、かつ、弁胴（１）が前方位置および／または閉鎖位置にあるとき、バルブハウジング（３）または、ガスケット（４）を動かす少なくとも一つの圧力部材（９’）の軸方向圧力により取り付けられるケージ（５）に対して緊密な接触面を有するようにガスケット（４）が放射状に拡張し、そして圧力部材（９’）は、弁胴（１）の外周面に延在するスリーブ（９）により構成され、スリーブ（９）は、バルブコーン（８）が、圧力部材（９’）上の対応表面（１８）と協働するための隣接表面（１７）を変形または傾斜させるガスケット（４）が放射状に拡張する弁座（７）に対して閉鎖位置に達するとき、ガスケット（４）に圧縮圧力を移行させることを特徴とするバルブ。
【請求項２】
スリーブ（９）の反対後部位置（１５）が、ガスケット（４）まで延在すると同時に弁座（７）と協働するために、前部分（２０）と共にスリーブ（９）が、自由端（１１）までバルブコーン（８）の外周面に延在し、そして各部品が共に、所定の移動距離範囲内で、互いに並列の位置に固定され、前記所定の移動距離は、固定部材（１４）を通じて同軸方向にあるバルブコーン（８）上のガスケット（４）の収縮性に、通常、一致し、前記固定部材が、溝（１３）のバルブコーン（８）の後端部（１２）に順々に固定されることを特徴とする前記請求項１に記載のバルブ。
【請求項３】
スリーブ（９）が、前部自由端（１１）の前方に末端を有するバルブコーン（８）の表面に同軸に延在し、そしてバルブコーン（８）の外部表面（ｔｈｅ ｍａｎｔｌｅ ｓｕｒｆａｃｅ）上の短い距離で、ガスケット（４）と共に移動可能であることを特徴とする前記請求項２に記載のバルブ。
【請求項４】
スリーブ（９）の前部（２０）が、弁胴を囲繞し、かつ弁胴（１）の前部自由端（１１）から突出するピン（２１）の軸方向に軸承（ｊｏｕｒｎａｌｌｅｄ）されることを特徴とする前記請求項２に記載のバルブ。
【請求項５】
ガスケット（４）は、バルブ（２）が開口位置にあるとき、すなわち圧力部材（９’）が弁座（７）に接しない限り、バルブハウジング（３）またはバルブハウジング（３）内に配置されたケージ（５）に対して大きな摩擦を生じることなくスライドするように配置されることを特徴とする前記請求項１に記載のバルブ。
【請求項６】
圧力部材（９’）が、バルブコーンとして設計され、かつ、スピンドル（６）上のフランジに備えられたスリーブ（２２）の位置に、可動するように固定され、前記スリーブ（９）が、ガスケット（４）のための周囲の肩（２３）を形成し、前記ガスケットが、この剛直な肩（ｔｈｉｓ ｒｉｇｉｄ ｓｈｏｕｌｄｅｒ）（２３）と、圧力部材（９’）にある変動肩（２４）との間に取り付けられ、その間に前記ガスケット（４）が、半径方向での拡張性を有するために圧縮されていることを特徴とする前記請求項１に記載のバルブ。
【発明の詳細な説明】
【０００１】
本発明は、バルブ内を通じて流れる媒体を制御するための弁胴に関し、前記バルブは、バルブハウジング（ａ ｖａｌｖｅ ｈｏｕｓｉｎｇ）を備え、その中の弁胴は、バルブハウジングまたは、バルブハウジングに配置されたケージ（ａ ｃａｇｅ）との協働による液密性を確実にするために、少なくとも一つのガスケットを有し、スピンドルによりバルブ内の弁座に対して往復動可能である。
【０００２】
最近の市場で使用されるある種のバルブに関して、これらを使用する人達から、バルブは漏れないものだということが要求され、通常、バルブは、一方向に非常に強力な嵌め込み力を有している。できるだけ弱い嵌め込み力を達成するために、平衡型バルブと呼ばれるバルブが使用される。弱い嵌め込み力は、弁胴の低圧側と、弁胴上にあり、かつバルブ蓋体内にある閉ざされた空間と、の間に延在する連結溝によって達成することができる。今までに論じられた二つのバルブの使用態様が、完全に結びつけられることは、今に至るまで不可能であった。
【０００３】
したがって、本発明の目的は、完成したバルブパッケージから構成されてなる漏れのない弁胴および、特に平衡型弁胴を提供することにあり、前記バルブパッケージ内において、弁胴が、できるだけ磨耗を少なくすると同時にバルブ枠中における前方位置および／または閉鎖位置において、ガスケットを立ち上げる時に、またバルブがその閉鎖状態とは無関係に動作する時に、弁胴を構成する部品は、完全に液密になる。本発明の特徴は、特許請求の範囲に記載される。
【０００４】
本発明により、バルブ内を通じて流れる前記媒体を制御するための新型の、優れた方式における弁胴は、目的を果たすと同時に、簡単でありかつ製造コストが安い。本発明によれば、弁胴は、特に圧力部材を有し、好ましくは、外面上、中心バルブコーンに達するスリーブの形態を有する圧力部材と、スリーブから加圧されると、中心方向と同様に外方向へ放射状に拡張することができるガスケットと、を有する。より好ましい態様において、ガスケットは、分割リングによりその位置に固定可能であり、そして前記分割リングは、バルブコーンに設けられた溝内に、組み立てにより、同軸に固定される。この解決策により、バルブコーンが、弁座に対して閉鎖位置に達するとき、スリーブがバルブコーン上でスライドし、力を反対向きに変え、そしてガスケットを圧縮する。そうすると、ガスケットは、スリーブ、分割リング、バルブコーンおよびバルブ内にある壁によって定義付けられる領域内で放射状に拡張することになる。この問題におけるガスケットは、閉鎖空間（ｔｈｅ ｃｌｏｓｅｄ ｖｏｌｕｍｅ）を定義する表面上で強力な表面圧力を発生する。
【０００５】
開いたバルブ位置において、バルブが操作される時、スリーブは、もはや弁座に接触しなくなる。そしてスリーブは、ガスケットに影響する力を伝えることはなく、その上、閉ざされている表面（ｉｔｓ ｃｏｎｆｉｎｉｎｇ ｓｕｒｆａｃｅｓ）で表面圧力を発生しない。ガスケットに対する表面圧力の除去または限界を定める（ｄｅｌｉｍｉｔｉｎｇ）ことによって、弁胴の動作方向のバルブ壁に対する摩擦が非常に小さくなる。そして、バルブに要求される嵌め込み力もまた、小さくすることができると同時に、例えば、ガスケットの磨耗も、根本的に減少される。その構造により、バルブが閉じられたとき、ガスケットに対する一つの力のみが生じ、バルブが開き、そして機能するとき、ガスケットに対する力は、完全に除去され、その場合に、その構造がスリーブの同軸方向の動きを通じてガスケットの磨耗を相殺すると同時に、いかなる摩擦力も発生することはなくなる。
【０００６】
本発明は、以下の図面を参照しながら、好適な態様により詳細に記載される。
【０００７】
図１から、さらに詳細に表されるように、第一の態様に従うと、バルブ２に備えられたバルブハウジング３内に嵌込することを意図された本発明による弁胴１が示される。バルブ２内で、前記弁胴１は、バルブハウジング３、または、バルブハウジング内の適宜の位置に配置されたケージ５との協働により液密性を確実にするために、少なくとも一つのガスケット４を有し、スピンドル６によって、バルブ２の中にある弁座７に対して同軸に往復動可能である。図１に示された態様による弁胴１は、前記のとおり、バルブ２中のスピンドル６により動かされ、かつバルブコーン８を囲繞し、そして圧力部材９’としての役割を有するスリーブ９を備えるバルブコーン８により構成される。そしてスリーブ９は、凹陥部１０（ｒｅｃｅｓｓ）に着脱可能に装着され、この態様において、凹陥部は、弁座７と協働するために、バルブコーン８の自由端１１まで延在する。バルブコーン８の反対端１２において、スリーブ９は、溝１３に設けられた固定部材１４により、凹陥部１０に保持される。該固定部材１４とスリーブ９にある接触後部１５との間にガスケット４が配置され、前記ガスケット４は、バルブコーン８の外周面を囲繞するように延在する。例示されるように、平板ガスケット２５は、固定部材１４が分割リングにより構成されるときに、形成されるべき溝において、ガスケット４のねじれを防止するために、ガスケット４と固定部材１４との間に配置される。スリーブ９とバルブコーン８との間での回転を防止するために、回転ピン２６がある。バルブコーン８上のスリーブ９の機能は、スリーブ９が、ガスケット４の方向に移動するときに、ガスケット４を圧縮することである。そして、このようなことは、前方位置および／または閉鎖位置にあるときに生じる。そのために、ガスケット４は、スリーブ９、平板ガスケット２５を備える固定部材１４、バルブコーン８およびバルブハウジング壁により定義される領域内で拡張する。結果的に、ガスケット４は、閉ざされている表面（ｉｔｓ ｃｏｎｆｉｎｉｎｇ ｓｕｒｆａｃｅｓ）の全面において強力な表面圧力を発生する。
【０００８】
開口バルブ位置において、換言すると、バルブ２が操作されるとき、スリーブ９は、もはや弁座７に接触せず、そしてスリーブ９は、ガスケット４に影響する力を伝達することはできない。それから、スリーブ９は、閉ざされている表面上で、そして、特にガスケット４内で表面圧力を発生しない。ガスケット４の表面圧力の除去または限界を定めることにより、バルブハウジング３に対する摩擦またはバルブハウジング内の適所に配置されたケージ５に対する摩擦が非常に低くなり、そして、要求されるバルブ２の嵌め込み力もまた、非常に低く保たれる、と同時に、磨耗、特にガスケット４の磨耗が減らされる。図１に示される例において、固定部材１４は、バルブコーン８に備えられた溝１３内に配置され、そして、この場合において、分割リングとして設計され、前記分割リングは、バルブコーン８がバルブ２に挿入され、または固定リング１６により、固定されるとき、自動的に保持される。ガスケット４は、弾性材料、例えばプラスチックまたは金属材料、より好ましくは、グラファイトから形成される。
【０００９】
図２に、さらに詳細に示されるように、この場合における弁胴１は、バルブ２に嵌入され、バルブ２は、バルブハウジング３に配置されたケージ５を内装する。弁胴１は、前記ケージ５に移動可能に配置され、そして、ガスケットは、前部自由端１１がバルブ２に取り付けられた弁座７と協働可能になると同時に、バルブコーン８の後部末端１２に取り付けられる。シーリング４のより大きな効果をもたらすために、シーリング４が半径方向に拡がるとき、圧力部材９’として有用なスリーブ９上の対応表面１８に対するガスケット４の隣接表面１７が、変形しまたは傾斜する。バルブコーン８が、ケージ５内に配置された例に示されるように、弁胴１が閉鎖位置から開口位置に転置されるとき、複数の前記穴１９は、覆われない。
【００１０】
図３において、本発明における弁胴１の他の態様が示され、その態様においては、スリーブ９の前部分２０は、弁胴の前端１１を囲み、そして弁胴１の前部自由端１１から突き出るピン２１の軸方向に軸承（ｊｏｕｒｎａｌｌｅｄ）される。この例において、スリーブ９は、前記態様のように、バルブコーン８の自由端１１の前方で短い距離（ａ ｓｈｏｒｔ ｄｉｓｔａｎｃｅ）をもっと終端する代わりに、キャップ状（ａ ｈａｔ）に通常、設計される。
【００１１】
図４において、本発明における弁胴１のさらなる態様が示され、その態様においては、通常、バルブコーン８全体は、軸方向に移動可能な圧力部材として設計され、そしてスピンドル６上のフランジに備えられたスリーブ２２の位置に移動可能に固定される。そしてスリーブ２２は、ガスケット４の周囲の肩２３を形成し、ガスケット４は、この不動肩（ｔｈｉｓ ｓｔａｔｉｏｎａｒｙ ｓｈｏｕｌｄｅｒ）２３と圧力部材９’上の変動肩（ａ ｍｏｖａｂｌｅ ｓｈｏｕｌｄｅｒ）２４との間に配置され、これらの間にあるガスケット４は、その急激な膨脹性を有するために収縮する。
【図面の簡単な説明】
【図１】
図１は、本発明および第一の態様による弁胴全体を概略的に示す断面図である。
【図２】
図２は、図１によるバルブコーンを有する完成バルブを概略的に示す断面図である。
【図３】
図３は、第二の態様により設計された弁胴の取り得る態様を示す図である。
【図４】
図４は、断面図に記載された弁胴の取り得る態様を示す図である。
【図１】
2004522110.tif 000003
【図２】
2004522110.tif 000004
【図３】
2004522110.tif 000005
【図４】
2004522110.tif 000006
【国際公開パンフレット】
2004522110.tif 000007
2004522110.tif 000008
2004522110.tif 000009
2004522110.tif 000010
2004522110.tif 000011
2004522110.tif 000012
2004522110.tif 000013
2004522110.tif 000014
2004522110.tif 000015
2004522110.tif 000016
2004522110.tif 000017
【国際調査報告】
2004522110.tif 000018
2004522110.tif 000019